【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
基台(２)と、該基台(２)上に設置したガイドレール(３０)と、該ガイドレール(３０)に沿って移動自在に装着され、カッター(４５)を備えたスライダー(４０)と、前記基台(２)の上面(３)に前記ガイドレール(３０)に沿って形成した装着溝(４)に装着したカッターマット(５０)と、を備えた截断機において、
前記装着溝(４)の近傍に、前記カッターマット(５０)を前記装着溝(４)に向けて誘導する誘導部(５)を設けたことを特徴とする截断機。
【請求項２】
前記装着溝(４)の少なくとも一方の端部に、前記カッターマット(５０)を前記装着溝(４)内に保持する回転端部保持部材(７)を設けたことを特徴とする請求項１に記載の截断機。
【請求項３】
前記装着溝(４)の一端に、前記カッターマット(５０)の一方の端部(５１)を係止する端部係止部(６)を、また、前記装着溝(４)の他端に、前記カッターマット(５０)の他方の端部(５２)を保持する回動端部保持部材(７)を、それぞれ設けたことを特徴とする請求項１に記載の截断機。
【手続補正２】
【補正対象書類名】明細書
【補正対象項目名】０００４
【補正方法】変更
【補正の内容】
【０００４】
本発明は、以上の課題に鑑みてなされたもので、基台に形成した装着溝へのカッターマットの着脱操作を容易とした截断機を提供することを第１の目的とする。
また、本発明は、ガイドレールとスライダーとの摩擦抵抗を最小限度に低減させると共にスライダーが直線度を維持したまま移動できるようにスライダーをガイドレールに装着させた截断機を提供することを第２の目的とする。
さらに、本発明は、紙当て定規を基台上から外れた位置で使用する場合でも、紙当て定規を基台に位置決め固定することができる截断機を提供することを第３の目的とする。
【手続補正３】
【補正対象書類名】明細書
【補正対象項目名】０００５
【補正方法】変更
【補正の内容】
【０００５】
上記第１の目的を達成するために、請求項１に記載の発明は、基台と、該基台上に設置したガイドレールと、該ガイドレールに沿って移動自在に装着され、カッターを備えたスライダーと、前記基台の上面に前記ガイドレールに沿って形成した装着溝に装着したカッターマットと、を備えた截断機において、前記装着溝の近傍に、前記カッターマットを前記装着溝に向けて誘導する誘導部を設けたことを特徴とする。
請求項２に記載の発明は、請求項１に記載の発明において、前記装着溝の少なくとも一方の端部に、前記カッターマットを装着溝内に保持する回動端部保持部材を設けたことを特徴とする。
また、請求項３に記載の発明は、請求項１に記載の発明において、前記装着溝の一端に、前記カッターマットの一方の端部を係止する端部係止部を、また、前記装着溝の他端に、前記カッターマットの他方の端部を保持する回動端部保持部材を、それぞれ設けたことを特徴とする。
なお、上記第２の目的を達成するために、基台と、該基台上に設置したガイドレールと、該ガイドレールに沿って移動自在に装着され、カッターを備えたスライダーと、を備えた截断機において、前記ガイドレール及び前記スライダーのいずれか一方に凸形状部を、また、前記ガイドレール及び前記スライダーのいずれか他方に凹形状部を、それぞれ上下方向に形成し、前記凸形状部と前記凹形状部とを互いに嵌合させて、前記ガイドレールに前記スライダーを装着させた截断機を構成することができる。
ここで、前記ガイドレールと前記スライダーとの間に、左右方向２ヵ所の接触部位を形成し、截断時には、これらの接触部位は非接触状態となるように、前記ガイドレールに前記スライダーを装着させた截断機としてもよい。
また、上記第３の目的を達成するために、基台と、該基台上に設置したガイドレールと、該ガイドレールに沿って移動自在に装着され、カッターを備えたスライダーと、前記基台の上面に前記ガイドレールに直交させて形成した案内溝に位置調節自在に装着した紙当て定規と、を備えた截断機において、前記紙当て定規に、前記案内溝に沿って摺動自在な脚部を前記紙当て定規に直交させて一体に設け、前記脚部と前記案内溝との間に、前記紙当て定規を所定位置に位置決めする移動位置決め手段を設けた截断機を構成することができる。
ここで、前記移動位置決め手段は、前記脚部または前記基台に形成した係合凹部と、該係合凹部に係合自在に移動可能な突起と、該突起を係合状態に保持する突起操作部材と、から構成した截断機としてもよい。
また、前記案内溝を、溝底側の幅が開口幅より幅広の凹溝形状に形成して、前記脚部を前記案内溝に係止させた截断機としてもよい。
さらに、前記移動位置決め手段は、前記脚部または前記基台の上面に形成した係合凹部と、板バネ と一体に形成され、前記係合凹部側に付勢される突起と、から構成した截断機としてもよい。
さらにまた、前記移動位置決め手段は、前記脚部または前記基台の上面に形成した係合凹部と、前記脚部または前記基台の上面と一体に形成され、前記係合凹部側に付勢される突起と、から構成した截断機としてもよい。
さらにまた、前記移動位置決め手段は、前記脚部に形成した係合凹部と、前記基台に設置され、操作部材によりリンク機構を介して前記係合凹部側に移動される突起と、から構成した截断機としてもよい。
さらにまた、前記移動位置決め手段は、前記脚部に形成した係合凹部と、付勢手段により前記係合凹部側に付勢される突起と、から構成した截断機としてもよい。
そして、上記したいずれの截断機においても、取っ手を備えるように構成することができる。
【手続補正４】
【補正対象書類名】明細書
【補正対象項目名】０００６
【補正方法】変更
【補正の内容】
【０００６】
請求項１に記載の発明によれば、カッターマットの装着溝の近傍に、カッターマットを装着溝に向けて誘導する誘導部を設けたので、カッターマットを交換する必要が生じて、カッターマットを装着溝に装着する際には、カッターマットを誘導部に載せるだけで、カッターマットは自重で誘導部に誘導されて装着溝内に滑り落ちるため、カッターマットの装着作業が至極簡単となる。
請求項２に記載の発明によれば、上記請求項１の効果に加えて、装着溝の少なくとも一方の端部に、カッターマットを装着溝内に保持する回動端部保持部材を設けたので、截断機が傾けられた場合でも、回動端部保持部材によりカッターマットを装着溝内に保持して、カッターマットが装着溝から外れることを確実に阻止することができる。
請求項３に記載の発明によれば、上記請求項１の効果に加えて、装着溝の一端に、カッターマットの一方の端部を係止する端部係止部を、また、装着溝の他端に、カッターマットの他方の端部を保持する回動端部保持部材を、それぞれ設けたので、カッターマットを装着溝内に確実に保持できると共に、装着溝へのカッターマットの着脱操作を簡単にすることができる。
なお、上記第２の目的を達成するために、スライダーをガイドレールに装着する際に、ガイドレールとスライダーとを、ガイドレール及びスライダーのいずれか一方に上下方向に形成した凸形状部とガイドレール及びスライダーのいずれか他方に上下方向に形成した凹形状部とを互いに嵌合させて、凸形状部と凹形状部のみを接触させた状態で装着した截断機を構成した場合には、截断時には、スライダーとガイドレールとの接触部位は凸形状部と凹形状部だけであるため、スライダーとガイドレールとの間に発生する摩擦を最小限に抑えることができると共に、スライダーを直線度を維持したままガイドレールに沿ってスムーズに移動させることが可能となる。
ここで、スライダーとガイドレールとは、凸形状部と凹形状部の上下方向の接触部位の他に、左右方向２ヶ所でも接触できるようにした場合には、截断機が傾けられた場合でも、スライダーがガイドレールから外れることを確実に防止することができる。また、截断時には、スライダーとガイドレールとは、凸形状部と凹形状部の上下方向の接触部位のみが接触して、左右方向２ヶ所の接触部位は非接触状態に維持されるので、スライダーとガイドレールとの接触部位の摩擦の発生を最小限に抑えることが可能となる。
また、上記第３の目的を達成するために、紙当て定規に直交させて一体に設けた脚部を基台の上面に形成した案内溝に沿って摺動自在とし、脚部と案内溝との間に移動位置決め手段を設けて、紙当て定規を所定位置に位置決めできるようにした截断機を構成した場合には、紙当て定規を基台の上面から外れた位置に位置決めして使用したい場合には、移動位置決め手段を介して脚部を案内溝に位置決めして固定することにより、紙当て定規を基台の上面から外れた位置に確実に位置決めして固定することが可能となる。
ここで、移動位置決め手段を、脚部または基台に形成した係合凹部と、該係合凹部に係合自在に移動可能な突起と、該突起を係合状態に保持する突起操作部材と、から構成したた場合には、突起操作部材を操作することにより、突起を係合凹部に係合させて保持する状態と、突起を係合凹部から移動させることができる状態に、簡単に変更することができる。
また、溝底側の幅が開口幅より幅広に形成された凹溝形状の案内溝を形成して、この案内溝に紙当て定規の脚部を係止させるようにした場合には、截断機の使用時または非使用時にかかわらず、紙当て定規を案内溝内に確実に保持することができる。
さらに、突起を一体に形成した板バネを利用した場合には、移動位置決め手段を構成する部品点数を低減させることができると共に、移動位置決め手段を簡単に構成することができる。
さらにまた、係合凹部および突起を、脚部または基台と一体に形成した場合には、移動位置決め手段を構成する部品点数を低減させることができると共に、脚部を基台に組み込むだけで移動位置決め手段を構成することができる。
さらにまた、移動位置決め手段を、脚部に形成した係合凹部と、基台に設置され、操作部材によりリンク機構を介して係合凹部側に移動される突起と、から構成した場合には、付勢部材を利用した移動位置決め手段と比較して、脚部を基台に確実に固定することができる。
さらにまた、移動位置決め手段を脚部に組み込む場合には、移動位置決め手段の構成を簡単にすることが可能となる。
そして、上記したいずれの截断機においても、截断機に取っ手を設けた場合には、使用時或は非使用時の截断機の取扱が容易となる。